(57)【要約】【課題】通信品質が低下することを抑制しつつ、組み付け作業性が悪化することを抑制する。【解決手段】本明細書によって開示される端子モジュール６８は、少なくとも１本の被覆電線１２と、被覆電線１２の外周を覆う導電性のシールド部１５と、シールド部１５の外周を覆うシース部１６と、を有するシールド電線１１と、被覆電線１２に接続される内導体２０と、内導体２０を収容する樹脂製の端子収容部材３０と、端子収容部材３０を収容する筒状部５２を有する金属製の第１外導体５１と、第１外導体５１の筒状部５２の後端部を覆う覆い部６１を有する金属性の第２外導体６０と、を備え、第１外導体５１の後端部には、絞り込み部５６が設けられており、端子収容部材３０は、筒状部５２に端子収容部材３０を収容する過程において、絞り込み部５６との干渉を回避する逃がし部３４を有している。【選択図】図１１
2020107568.tif 000002
【特許請求の範囲】
【請求項１】
少なくとも１本の被覆電線と、前記被覆電線の外周を覆う導電性のシールド部と、前記シールド部の外周を覆うシース部と、を有するシールド電線と、
前記被覆電線に接続される内導体と、
前記内導体を収容し、前記被覆電線が引き出される樹脂製の端子収容部材と、
前記端子収容部材を収容し、前記被覆電線が引き出される筒状部を有する金属製の第１外導体と、
前記第１外導体の前記筒状部において前記被覆電線が引き出される側の端部を覆う覆い部を有する金属性の第２外導体と、を備えた端子モジュールであって、
前記第１外導体における前記端部には、前記第２外導体の前記覆い部の内周面に沿って配され、前記被覆電線が引き出される方向に向かうほど前記筒状部の軸線に向かって延出する絞り込み部が設けられており、
前記端子収容部材は、前記端子収容部材の外面に凹んで設けられ、前記筒状部に前記端子収容部材を収容する過程において、前記絞り込み部との干渉を回避する逃がし部を有している端子モジュール。
【請求項２】
前記筒状部は、角筒状に形成され、前記絞り込み部は、前記筒状部の角部に連なるように丸みを帯びて形成されており、
前記端子収容部材は、角柱状に形成されており、
前記逃がし部は、前記端子収容部材の前記絞り込み部側の隅部に前記端子収容部材の挿入方向に沿って形成されている請求項１に記載の端子モジュール。
【請求項３】
請求項１または請求項２に記載の端子モジュールと、
前記端子モジュールを収容するハウジングと、を備えたコネクタ。
【発明の詳細な説明】
【技術分野】
【０００１】
本明細書によって開示される技術は、端子モジュールおよびコネクタに関する。
【背景技術】
【０００２】
例えば、通信用の信号が伝送されるシールド電線の端末に接続されたシールドコネクタとして、特開２０１３−２２９２５５号公報（下記特許文献１）に記載のものが知られている。このシールドコネクタは、シールド電線のシールド箔とシース部とを皮剥ぎして露出させたシールド線に接続されるオス端子と、オス端子を収容するインナハウジングと、インナハウジングを覆う筒状部を有し、シールド電線のシールド箔に接続されるシールドシェルと、シールドシェルを覆うシールドシェルカバーとを備えている。
【０００３】
シールドコネクタを組み立てる際には、まず、シールド線に圧着接続されたオス端子をインナハウジング内に挿入することによって、インナハウジング内にオス端子が収容された端子モジュールを構成する。そして、端子モジュールをシールドシェルの後端部に設けられた挿入部から筒状部に挿入し、シールドシェルの挿入部を上方から覆うようにシールドシェルカバーを装着する。
【先行技術文献】
【特許文献】
【０００４】
【特許文献１】特開２０１３−２２９２５５号公報
【発明の概要】
【発明が解決しようとする課題】
【０００５】
ところで、この種のコネクタは、シールド電線の端末において皮剥ぎされたシールド線が、シールドシェルおよびシールドシェルカバーによって覆われているものの、シールドシェルとシールドシェルカバーとの間の隙間が大きいと、隙間からノイズが漏れたり、外部からのノイズが侵入したりすることによって通信品質が低下してしまう。このため、シールドシェルの筒状部の端部に径方向内側に絞り込んだ絞り込み部を形成し、絞り込み部に対してシェルカバーを沿わせることでシールドシェルとシールドシェルカバーとの間の隙間を小さくする構成が検討されている。
【０００６】
ところが、筒状部の端部に絞り込み部を形成すると、筒状部内に挿入部からインナハウジングを挿入する際に、絞り込み部とインナハウジングとが干渉するなどシールドシェルへのインナハウジングの組み付け作業が悪化してしまう。
【０００７】
本明細書では、通信品質が低下することを抑制しつつ、組み付け作業性が悪化することを抑制する技術を開示する。
【課題を解決するための手段】
【０００８】
本明細書によって開示される技術は、少なくとも１本の被覆電線と、前記被覆電線の外周を覆う導電性のシールド部と、前記シールド部の外周を覆うシース部と、を有するシールド電線と、前記被覆電線に接続される内導体と、前記内導体を収容し、前記被覆電線が引き出される樹脂製の端子収容部材と、前記端子収容部材を収容し、前記被覆電線が引き出される筒状部を有する金属製の第１外導体と、前記第１外導体の前記筒状部において前記被覆電線が引き出される側の端部を覆う覆い部を有する金属性の第２外導体と、を備えた端子モジュールであって、前記第１外導体における前記端部には、前記第２外導体の前記覆い部の内周面に沿って配され、前記被覆電線が引き出される方向に向かうほど前記筒状部の軸線に向かって延出する絞り込み部が設けられており、前記端子収容部材は、前記端子収容部材の外面に凹んで設けられ、前記筒状部に前記端子収容部材を収容する過程において、前記絞り込み部との干渉を回避する逃がし部を有している構成とした。
【０００９】
また、本明細書によって開示される技術は、コネクタであって、前記端子モジュールと、前記端子モジュールを収容するハウジングと、を備えている。
このような構成の端子モジュールによると、第１外導体の絞り込み部に対して第２外導体の覆い部を沿うように配置できるから、第１外導体の筒状部の端部および絞り込み部と第２外導体の覆い部との間の隙間からノイズが漏れたり、外部からノイズが侵入したりすることを抑制することができる。これにより、端子モジュールにおいて通信品質が低下することを抑制することができる。
【００１０】
また、端子収容部材に逃がし部が設けられているから、第１外導体の筒状部に対して端子収容部材を収容する過程において絞り込み部と端子収容部とが干渉することを回避することができる。これにより、第１外導体に端子収容部を組み付ける組み付け作業性が悪化することを抑制することができる。
【００１１】
本明細書によって開示される端子モジュールは、以下の構成としてもよい。
前記筒状部は、角筒状に形成され、前記絞り込み部は、前記筒状部の角部に連なるように丸みを帯びて形成されており、前記端子収容部材は、角柱状に形成されており、前記逃がし部は、前記端子収容部材の前記絞り込み部側の隅部に前記端子収容部材の挿入方向に沿って形成されている構成としてもよい。
【００１２】
一般に、角筒状の筒状部の端部を金属製の覆い部によって覆う場合、筒状部の角部と覆い部との間に隙間が形成されやすくなる。ところが、このような構成によると、筒状部の角部の端部に絞り込み部が丸みを帯びて形成されているから、筒状部の端部および絞り込み部と覆い部との間の隙間を小さくすることができる。これにより、筒状部の端部および絞り込み部と覆い部との間の隙間からノイズが漏れたり、外部からノイズが侵入したりすることを抑制し、通信品質が低下することを抑制することができる。
【００１３】
また、端子収容部材は、絞り込み側の隅部に逃がし部が設けられて丸みを帯びた形態となっているから、端子収容部を上下反転させて組み付けるといったいわゆる誤組みを防止する誤組防止部として逃がし部を兼用することができる。
【発明の効果】
【００１４】
本明細書によって開示される技術によれば、通信品質が低下することを抑制しつつ、組み付け作業性が悪化することを抑制することができる。
【図面の簡単な説明】
【００１５】
【図１】実施形態に係るコネクタの斜視図
【図２】コネクタの正面図
【図３】図２のＡ−Ａ線断面図
【図４】コネクタの分解斜視図
【図５】ロア部材とアッパ部材とを組み付ける前の状態を示す斜視図
【図６】ロア部材とアッパ部材とを組み付ける前の状態を示す正面図
【図７】上下反転させたアッパ部材の斜視図
【図８】第１外導体の斜視図
【図９】第１外導体の平面図
【図１０】第１外導体の側面図
【図１１】第１外導体の背面図
【図１２】内導体が組み付けられた上下反転状態のアッパ部材にロア部材を組み付ける前の状態を示す斜視図
【図１３】内導体が端子収容部材に収容された状態を示す斜視図
【図１４】内導体が端子収容部材に収容された状態を示す正面図
【図１５】内導体が端子収容部材に収容された状態を示す側面図
【図１６】第１外導体に端子収容部材を組み付ける前の状態を示す斜視図
【図１７】筒状部に端子収容部材が収容された状態を示す斜視図
【図１８】筒状部に端子収容部材が収容された状態を示す側面図
【図１９】第１外導体に第２外導体を組み付ける前の状態を示す斜視図
【図２０】上下反転させた状態の端子モジュールの斜視図
【図２１】端子モジュールの平面図
【図２２】端子モジュールの底面図
【図２３】他の実施形態に係る第１外導体に端子収容部材を組み付ける前の状態を示す斜視図
【発明を実施するための形態】
【００１６】
＜実施形態＞
本明細書に開示された技術における一実施形態について図１から図２３を参照して説明する。
【００１７】
本実施形態は、例えば電気自動車やハイブリット自動車等の車両に搭載され、例えば車両内における車載電装品（カーナビゲーションシステム、ＥＴＣ、モニタ等）と外部機器（カメラ等）との間や、車載電装品間の有線の通信経路に配される通信用のコネクタ１０を例示している。なお、以下の説明において、Ｆ側を前側、Ｂ側を後側として説明する。
【００１８】
コネクタ１０は、図１から図４に示すように、シールド電線１１と、シールド電線１１の前側の端末に接続される複数の内導体２０と、複数の内導体２０を収容する端子収容部材３０と、端子収容部材３０の外周を覆った状態でシールド電線１１に接続される外導体５０と、外導体５０を収容するハウジング７０とを備えて構成されている。
【００１９】
シールド電線１１は、複数の被覆電線１２と、複数の被覆電線１２の外周を一括して覆う編組線からなるシールド部１５と、シールド部１５のさらに外周を覆う絶縁性の被覆からなるシース部１６とを備えて構成されている。本実施形態のシールド電線１１は、２本の被覆電線１２がシールド部１５に一括して覆われている。
【００２０】
各被覆電線１２は、導電性を有する芯線１３を絶縁性の絶縁被覆１４によって覆った形態とされている。被覆電線１２は、シールド部１５に覆われた状態では、２本の被覆電線１２が捻って撚り合わせた状態となっており、シールド電線１１の端末である前端部では、シース部１６が皮剥ぎされて、撚りが解かれた状態の２本の被覆電線１２とシールド部１５とが露出している。
【００２１】
シールド部１５は、複数の導電性を有する金属細線を筒状に編んで形成されている。シース部１６の端末から露出したシールド部１５は、シース部１６の端部上に折り返されてシース部１６の端部の外周を覆っており、このシールド部１５が折り返された部分は、折り返し部１５Ａとされている。
【００２２】
折り返し部１５Ａから前方に引き出された各被覆電線１２の前端部は、絶縁被覆１４がさらに皮剥ぎされることによって芯線１３が露出しており、露出した芯線１３には内導体２０が電気的に接続されている。
【００２３】
内導体２０は、導電性を有する金属板材をプレスなどによって加工することによって形成されている。内導体２０は、いわゆる雄型端子であって、ピン型の端子接続部２２を有しており、端子接続部２２の後方に芯線１３および絶縁被覆１４の端末に圧着して接続される電線接続部２４が連なって形成されている。
【００２４】
被覆電線１２において内導体２０とシールド部１５における折り返し部１５Ａとの間に被覆電線１２はシールド部１５から露出した露出部１７とされており、露出部１７には、露出部１７におけるインピーダンスを調整するための調整部材８０が装着されている。
【００２５】
調整部材８０は、導電性を有する金属板材をプレスなどによって加工することによって形成されている。調整部材８０は、被覆電線１２における露出部１７の外周にそれぞれ装着される２つの調整部本体８２と、２つの調整部本体８２を連結する連結部８５とを備えて構成されている。
【００２６】
それぞれの調整部本体８２は、露出部１７の外周面を周方向に覆う略円筒状に形成されている。調整部本体８２は、露出部１７の前後方向略中央部に装着されており、調整部本体８２の前後方向の長さ寸法は、露出部１７の前後方向の長さ寸法よりもやや短くなっている。
【００２７】
連結部８５は、上方に向かって膨らむように湾曲した形態とされており、２つの調整部本体８２を左右方向に連結している。また、連結部８５は、図１２に示すように、後部に比べて前部が左右方向に幅広に形成されている。したがって、調整部材８０は、後部よりも前部が左右方向に幅広となっている。
【００２８】
端子収容部材３０は、合成樹脂製であって、図１２から図１６に示すように、前後方向に長い直方体状に形成されている。
端子収容部材３０の前後方向中央部よりも前側には、前後方向に延びるキャビティ３２が左右方向に２つ並んで形成されている。各キャビティ３２内には、図３および図１２に示すように、被覆電線１２に接続された内導体２０が収容されている。
【００２９】
端子収容部材３０の後部は、２つの内導体２０から後方に引き出された露出部１７が調整部材８０を装着した状態で収容される大収容部３３とされている。
【００３０】
また、端子収容部材３０は、図４から図７，図１２から図１６に示すように、下部に配置されるロア部材３５と、上部に配されるアッパ部材４０とを上下方向に組み合わせることで構成されている。
【００３１】
ロア部材３５は、図４から図６に示すように、端子収容部材３０の下壁３１Ｄを構成する底壁３５Ｄと、底壁３５Ｄの両側縁３５ＤＷに設けられた一対の係止片３６とを備えて構成されている。底壁３５Ｄは、前後方向に長い略矩形の板状に形成されており、底壁３５Ｄには２つの内導体２０が左右方向に並んで載置されるようになっている。
【００３２】
一対の係止片３６は、底壁３５Ｄの前後方向略中央部において上方に延出されて形成されており、各係止片３６は、左右方向に貫通する略矩形状の係止孔３６Ａを有している。
【００３３】
アッパ部材４０は、図４から図７に示すように、端子収容部材３０の上壁３１Ｕを構成する天井壁４０Ｕと、天井壁４０Ｕの前端部に設けられた前壁４２と、天井壁４０Ｕの左右方向の両側縁にそれぞれ設けられた側壁４４とを備えて構成されている。
【００３４】
天井壁４０Ｕは、前後方向に長い略矩形の平板状に形成されており、ロア部材３５の底壁３５Ｄとは反対側から内導体２０および被覆電線１２の端部を覆う大きさとされている。天井壁４０Ｕの左右方向略中央部には、天井壁４０Ｕから下方に向けて延出する隔壁４５が形成されている。隔壁４５は、アッパ部材４０とロア部材３５とが組み付けられると、ロア部材３５の底壁３５Ｄと上下方向に対向するように近接して配され、端子収容部材３０内に内導体２０が収容される２つのキャビティ３２を構成する。
【００３５】
前壁４２は、天井壁４０Ｕの前端縁から下方に延びた板状に形成されており、前壁４２には、雄端子が挿通される挿入口４２Ａが設けられている。
【００３６】
一対の側壁４４は、それぞれが天井壁４０Ｕから下方に延出した形態とされており、前壁４２の左右方向の両側の側縁にそれぞれ連なって形成されている。
【００３７】
各側壁４４の前後方向略中央部には、アッパ部材４０とロア部材３５とが組み付けられた際に、ロア部材３５の係止片３６が嵌合される嵌合凹部４４Ａが形成されている。嵌合凹部４４Ａは、側壁４４の側面から内側に向かって凹んだ形態をなしており、嵌合凹部４４Ａの内面には、外方にむかって突出する係止突起４６が形成されている。
【００３８】
係止突起４６は、アッパ部材４０とロア部材３５とが組み付けられて嵌合凹部４４Ａ内にロア部材３５の係止片３６が嵌合された際に、図１３および図１５に示すように、係止片３６の係止孔３６Ａに嵌まり込んでアッパ部材４０とロア部材３５とを組み付けた状態に保持するようになっている。
【００３９】
外導体５０は、図１９から図２２に示すように、端子収容部材３０の外周を覆う第１外導体５１と、第１外導体５１およびシールド電線１１の折り返し部１５Ａの外周を覆うように第１外導体５１に組み付けられる第２外導体６０とによって構成されている。
【００４０】
第１外導体５１は、導電性を有する金属板材をプレスなどによって加工することによって形成されている。第１外導体５１は、図３に示すように、端子収容部材３０を収容する筒状部５２と、筒状部５２の下側後端縁に設けられたシールド接続部５３とを備えている。
【００４１】
筒状部５２は、図８から図１１に示すように、正面視略矩形の角筒状に形成されている。筒状部５２における左右方向の内寸法は、端子収容部材３０の左右方向の幅寸法よりも僅かに大きく形成されており、図３に示すように、筒状部５２内に端子収容部材３０が後方から適合して収容されるようになっている。
【００４２】
シールド接続部５３は、筒状部５２の下側後端縁から斜め下後方に向かって延びる繋ぎ片５４と、繋ぎ片５４の後端縁から後方に向かって延びる略矩形の板状の舌片５５とを備えている。
【００４３】
繋ぎ片５４は、図８および図９に示すように、筒状部５２の下側後端縁から後方に向かうほど左右方向の幅寸法が小さくなるように形成されており、筒状部５２の軸線を中心に僅かに円弧状に形成されている。
舌片５５は、繋ぎ片５４の円弧状の後端縁に連なるように筒状部５２の軸線を中心にやや円弧状に形成されており、筒状部５２内に端子収容部材３０が収容されると、図１７から図１９に示すように、シールド電線１１における折り返し部１５Ａの下方に配置されるようになっている。
【００４４】
第２外導体６０は、導電性を有する金属板材をプレスなどによって加工することによって形成されている。第２外導体６０は、図１９に示すように、筒状部５２からシールド電線１１の折り返し部１５Ａの位置まで延びる覆い部６１と、覆い部６１の前部に設けられた一対の固定バレル６２と、覆い部６１の後部に設けられた一対の接続バレル６３とを備えて構成されている。
【００４５】
覆い部６１は、筒状部５２の後部から折り返し部１５Ａまでの領域を上方から覆う大きさに形成されており、覆い部６１の前部には、上下方向に貫通するランス孔６１Ａが設けられている。
【００４６】
一対の固定バレル６２は、覆い部６１の前部における左右方向の両側縁に設けられており、左右方向の両側から巻き付くように筒状部５２の後部に圧着されるようになっている。
【００４７】
一対の接続バレル６３は、一対の固定バレル６２の後方に連なるように覆い部６１の後部における左右方向の両側縁に設けられている。
【００４８】
一対の接続バレル６３のうちの一方は、折り返し部１５Ａにおける左右方向の一方の側部に沿って配置される側板６４と、側板６４の上端に設けられた固定片６５とを有しており、他方は、折り返し部１５Ａにおける左右方向の他方の側部に沿って配置される側板６４と、側板６４の上端に設けられた２つの固定片６５とを有している。
【００４９】
それぞれの固定片６５は、図２０および図２２に示すように、折り返し部１５Ａの下方に配置された第１外導体５１の舌片５５と共に折り返し部１５Ａの下部に巻き付くように圧着固定される。
【００５０】
また、それぞれの固定片６５の先端部には、内側に向かって折り返したフック部６６が形成されている。
【００５１】
フック部６６は、図２０に示すように、それぞれの固定片６５が圧着されると舌片５５の左右方向の両側縁のいずれか一方に引っ掛かることにより、それぞれの固定片６５をシールド部１５から外れないように固定する。これにより、第１外導体５１と第２外導体６０とによって構成される外導体５０がシールド電線１１のシールド部１５に電気的に接続固定されるようになっている。
【００５２】
ハウジング７０は、合成樹脂製であって、図３に示すように、内導体２０と端子収容部材３０と外導体５０とがシールド電線１１の端末に組み付けられた端子モジュール６８を収容するモジュール収容部７２を有している。
【００５３】
モジュール収容部７２は、図１から図４に示すように、前後方向に貫通する略角筒状に形成されており、モジュール収容部７２内には、端子モジュール６８の外導体５０におけるランス孔６１Ａの縁部と係止可能なランス７３が設けられている。ランス７３は、端子モジュール６８がモジュール収容部７２の正規収容位置に収容されると、図３に示すように、ランス孔６１Ａに嵌まり込み、ランス７３とランス孔６１Ａの縁部とが係止することで端子モジュール６８がハウジング７０内に保持されるようになっている。
【００５４】
さて、第１外導体５１の筒状部５２における左右方向両側の下側角部５２Ａの後端縁５２Ｂには、図８から図１１に示すように、第２外導体６０の覆い部６１の内周面６１Ｂに沿って配され、被覆電線１２が引き出される方向である後方に向かうほど筒状部５２の軸線に向かって延出する絞り込み部５６がそれぞれ設けられている。
【００５５】
各絞り込み部５６は、シールド接続部５３の繋ぎ片５４の側縁に連なるように丸みを帯びて形成されており、図１１に示すように、繋ぎ片５４の両側における絞り込み部５６間の距離Ｌ１は筒状部５２の後端開口の左右方向の幅寸法Ｌ２よりもやや小さくなっている。
【００５６】
したがって、第１外導体５１を後方から視ると、端子収容部材３０を挿入するための挿入経路Ｒは、図１１に示すように、下部が上部に比べて左右方向に幅狭となっている。
【００５７】
また、筒状部５２における左右方向両側の下側角部５２Ａの後端縁５２Ｂに絞り込み部５６が繋ぎ片５４の側縁に連なるように丸みを帯びて形成されているから、第２外導体６０の一対の固定バレル６２が筒状部５２の後部に圧着され、一対の接続バレル６３が折り返し部１５Ａに圧着されると、図２０および図２２に示すように、第２外導体６０の覆い部６１の内周面６１Ｂに絞り込み部５６が沿って配され、筒状部５２の後端部および絞り込み部５６と覆い部６１との間の隙間を小さくすることができるようになっている。
【００５８】
一方、端子収容部材３０の左右方向両側の下側隅部３０Ａには、図１３から図１６に示すように、第１外導体５１の筒状部５２に端子収容部材３０を収容する過程において、端子収容部材３０が絞り込み部５６と干渉することを回避する逃がし部３４がそれぞれ形成されている。
【００５９】
各逃がし部３４は、端子収容部材３０の側壁３１Ｗの外面および下壁３１Ｄの外面に凹んで形成されており、端子収容部材３０の挿入方向（前後方向）に沿うように端子収容部材３０の全長に亘って設けられている。また、各逃がし部３４は、図１１に示すように、第１外導体５１の絞り込み部５６の後端縁５６Ａを後方から視たときの傾斜状態と同じになるように、下方に向かうほど内側に向かって傾斜した形態とされている。
【００６０】
また、端子収容部材３０における逃がし部３４は、図４から図７に示すように、アッパ部材４０の側壁４４の下端縁４４Ｂに形成されていると共に、ロア部材３５の底壁３５Ｄにおける左右方向の両側縁３５ＤＷおよび係止片３６における下縁部３６Ｂに形成されている。そして、これらの逃がし部３４は、図１３から図１６に示すように、アッパ部材４０とロア部材３５とを上下方向に組み付けることによって一体となり、端子収容部材３０の左右方向両側の下側隅部３０Ａに逃がし部３４が前後方向の全長に亘って形成されるようになっている。
【００６１】
したがって、端子収容部材３０は、下部が上部に比べて左右方向に幅狭となっており、端子収容部材３０の下部は、図１４に示すように、正面視逆台形状となっている。また、端子収容部材３０の逃がし部３４は、第１外導体５１の筒状部５２に端子収容部材３０を収容する過程において、絞り込み部５６の内側を進入し、筒状部５２に対して端子収容部材３０が挿入できなくなることを回避することができるようになっている。
【００６２】
本実施形態は、以上のような構成であって、次に、通信用のコネクタ１０の組み立て手順の一例を簡単に説明し、続けて、コネクタ１０の作用および効果について説明する。
【００６３】
まず、シールド電線１１のシース部１６を皮剥ぎして、２本の被覆電線１２の端末とシールド部１５を露出させ、シールド部１５をシース部１６の外面に折り返して折り返し部１５Ａを形成する。また、２本の被覆電線１２の前端部の絶縁被覆１４を皮剥ぎして芯線１３を露出させ、露出した芯線１３に電線接続部２４を圧着して内導体２０を接続する。
【００６４】
次に、シールド電線１１の２本の被覆電線１２の露出部１７に調整部材８０を装着する。ここで、調整部材８０は、露出部１７に装着する前の展開状態では、図４に示すように、調整部本体８２を構成する上側の部分が上方に開いた状態となっている。調整部本体８２が開いた状態の調整部材８０上に被覆電線１２の露出部１７を配置し、露出部１７に巻き付けるようにして調整部本体８２を圧着することにより露出部１７に調整部材８０が固定される。
【００６５】
次に、図１２に示すように、上下反転させたアッパ部材４０の天井壁４０Ｕ上に２つの内導体２０を組み付け、アッパ部材４０に対してロア部材３５を上方から組み付ける。これにより、図１３から図１６に示すように、内導体２０が端子収容部材３０に収容される。
【００６６】
ここで、アッパ部材４０にロア部材３５を組み付けると、アッパ部材４０の側壁４４の下端縁４４Ｂに形成された逃がし部３４と、ロア部材３５の底壁３５Ｄの左右方向の両側縁３５ＤＷおよび係止片３６の下縁部３６Ｂに形成された逃がし部３４とが一体となり、端子収容部材３０の下側における左右方向両側の下側隅部３０Ａに前後方向に端子収容部材３０の全長に亘って延びる逃がし部３４が形成される。
【００６７】
次に、図１６から図１９に示すように、外導体５０の第１外導体５１における筒状部５２の後方から端子収容部材３０を挿入し、第１外導体５１に対して第２外導体６０を組み付ける。
【００６８】
第２外導体６０の組み付けは、第１外導体５１の舌片５５が下側になるように第２外導体６０の覆い部６１を第１外導体５１に上方から組み付け、固定バレル６２を筒状部５２に巻き付けるようにして圧着する。また、接続バレル６３のそれぞれの固定片６５を舌片５５およびシールド部１５に巻き付けるようにして圧着する。
【００６９】
ここで、一対の固定バレル６２が筒状部５２の後部に圧着され、一対の接続バレル６３が折り返し部１５Ａに圧着されると、筒状部５２における左右方向両側の下側角部５２Ａの後端縁５２Ｂに絞り込み部５６が繋ぎ片５４の側縁に連なるように丸みを帯びて形成されているから、図２０および図２２に示すように、第２外導体６０の覆い部６１の内周面６１Ｂが絞り込み部５６に沿って配され、筒状部５２の後端部および絞り込み部５６と覆い部６１との間の隙間を小さくすることができる。これにより、筒状部５２の後端部および絞り込み部５６と覆い部６１との間の隙間からノイズが漏れたり、外部からノイズが侵入したりすることを抑制し、通信品質が低下することを抑制することができる。
【００７０】
また、それぞれの固定片６５が圧着されると、図２０に示すように、固定片６５のフック部６６が舌片５５の側縁に引っ掛かることで固定片６５が舌片５５およびシールド部１５から外れないように固定され、シールド電線１１の端末に内導体２０と端子収容部材３０と外導体５０とが組み付けられた端子モジュール６８が完成する。
【００７１】
最後に、端子モジュール６８をハウジング７０のモジュール収容部７２に後方から挿入し、端子モジュール６８が正規の収容位置に至ると、図３に示すように、ランス７３が外導体５０のランス孔６１Ａに嵌まり込み、端子モジュール６８がハウジング７０内に抜け止めされて保持される。これにより、通信用のコネクタ１０が完成する。
【００７２】
次に、通信用のコネクタ１０の作用および効果について説明する。
【００７３】
本実施形態のように、第１外導体の筒状部の後端部を第２外導体の覆い部によって覆う場合、筒状部と覆い部との間の隙間が大きいと、隙間からノイズが漏れたり、外部からのノイズが侵入したりすることによって通信品質が低下してしまう。そこで、筒状部の後端部に後方に向かうほど径方向内側に延出された絞り込み部を形成し、絞り込み部に対して覆い部を沿わせることで第１外導体と第２外導体との間の隙間を小さくすることが考えられる。しかしながら、筒状部の端部に絞り込み部を形成すると、筒状部内に端子収容部材を挿入する際に、絞り込み部と端子収容部材とが干渉し、筒状部へ端子収容部材を挿入する組み付け作業の悪化が懸念される。
【００７４】
そこで、本発明者らは、上記の課題を解決するため、鋭意検討を行った結果、本実施形態の構成を見出した。すなわち、本実施形態のコネクタ１０における端子モジュール６８は、少なくとも１本の被覆電線１２と、被覆電線１２の外周を覆う導電性のシールド部１５と、シールド部１５の外周を覆うシース部１６と、を有するシールド電線１１と、被覆電線１２に接続される内導体２０と、内導体２０を収容し、被覆電線１２が引き出される樹脂製の端子収容部材３０と、端子収容部材３０を収容し、被覆電線１２が引き出される筒状部５２を有する金属製の第１外導体５１と、第１外導体５１の筒状部５２において被覆電線１２が引き出される側の後端部を覆う覆い部６１を有する金属性の第２外導体６０と、を備え、第１外導体５１の後端部には、図１６に示すように、第２外導体６０の覆い部６１の内周面６１Ｂに沿って配され、被覆電線１２が引き出される方向である後方に向かうほど筒状部５２の軸線に向かって延出する絞り込み部５６が設けられており、端子収容部材３０は、端子収容部材３０の下壁３１Ｄおよび側壁３１Ｗの外面に凹んで設けられ、筒状部５２に端子収容部材３０を収容する過程において、絞り込み部５６との干渉を回避する逃がし部３４を有している。
【００７５】
すなわち、本実施形態によると、図２０および図２２に示すように、第１外導体５１の筒状部５２の後端縁５２Ｂに設けられた絞り込み部５６に対して第２外導体６０の覆い部６１を沿うように配置できるから、第１外導体５１の筒状部５２および絞り込み部５６と第２外導体６０の覆い部６１との間の隙間からノイズが漏れたり、外部からノイズが侵入したりすることを抑制することができる。これにより、端子モジュール６８において通信品質が低下することを抑制することができる。
【００７６】
また、端子収容部材３０に逃がし部３４が設けられているから、図１１に示すように、第１外導体５１の筒状部５２に対して端子収容部材３０を収容する過程において、絞り込み部５６と端子収容部材３０とが干渉することを回避することができる。これにより、第１外導体５１に端子収容部材３０を組み付ける組み付け作業性が悪化することを抑制することができる。
【００７７】
また、筒状部５２は、角筒状に形成され、絞り込み部５６は、筒状部５２の下側角部５２Ａの後端縁５２Ｂに連なるように丸みを帯びて形成されており、端子収容部材３０は、直方体状（角柱状）に形成されており、逃がし部３４は、端子収容部材３０の絞り込み部５６側である下側隅部３０Ａに端子収容部材３０の挿入方向である前後方向に沿って形成されている。
【００７８】
一般に、角筒状の筒状部の後端部を金属製の覆い部によって覆う場合、筒状部の角部と覆い部との間に隙間が形成されやすくなる。
【００７９】
ところが、本実施形態によると、図８および図１１に示すように、筒状部５２の下側角部５２Ａの後端縁５２Ｂに絞り込み部５６が丸みを帯びて形成されているから、筒状部５２の後端部および絞り込み部５６と覆い部６１との間の隙間を小さくすることができる。これにより、筒状部５２の後端部および絞り込み部５６と覆い部６１との間の隙間からノイズが漏れたり、外部からノイズが侵入したりすることを抑制し、通信品質が低下することを抑制することができる。
【００８０】
また、端子収容部材３０は、下側隅部３０Ａに逃がし部３４が設けられて丸みを帯びた形態となっているから、端子収容部材３０を上下反転させて組み付けるといったいわゆる誤組みを防止する誤組防止部として逃がし部３４を兼用することができる。
【００８１】
＜他の実施形態＞
本明細書で開示される技術は上記記述及び図面によって説明した実施形態に限定されるものではなく、例えば次のような種々の態様も含まれる。
【００８２】
（１）上記実施形態では、筒状部５２の下側後端縁にシールド接続部５３の繋ぎ片５４に連なるように絞り込み部５６を構成した。しかしながら、これに限らず、絞り込み部を繋ぎ片と独立して構成してもよい。
【００８３】
（２）上記実施形態では、筒状部５２の下側後端縁に１つのシールド接続部５３が形成された構成とした。しかしながら、これに限らず、筒状部５２の後端縁に複数のシールド接続部が形成された構成にしてもよい。
【００８４】
（３）上記実施形態では、内導体２０を雄側端子として構成した。しかしながら、これに限らず、図２３に示すように、内導体１２０を雌型端子として構成してもよい。
【符号の説明】
【００８５】
１０：コネクタ
１２：被覆電線
１５：シールド部
１６：シース部
２０：内導体
３０：端子収容部材
３０Ａ：下側隅部（「隅部」の一例）
３４：逃がし部
５１：第１外導体
５２：筒状部
５２Ａ：下側角部（「角部」の一例）
５２Ｂ：後端縁（「端部」の一例）
５６：絞り込み部
６０：第２外導体
６１：覆い部
６８：端子モジュール
７０：ハウジング
【図１】
2020107568.tif 000003
【図２】
2020107568.tif 000004
【図３】
2020107568.tif 000005
【図４】
2020107568.tif 000006
【図５】
2020107568.tif 000007
【図６】
2020107568.tif 000008
【図７】
2020107568.tif 000009
【図８】
2020107568.tif 000010
【図９】
2020107568.tif 000011
【図１０】
2020107568.tif 000012
【図１１】
2020107568.tif 000013
【図１２】
2020107568.tif 000014
【図１３】
2020107568.tif 000015
【図１４】
2020107568.tif 000016
【図１５】
2020107568.tif 000017
【図１６】
2020107568.tif 000018
【図１７】
2020107568.tif 000019
【図１８】
2020107568.tif 000020
【図１９】
2020107568.tif 000021
【図２０】
2020107568.tif 000022
【図２１】
2020107568.tif 000023
【図２２】
2020107568.tif 000024
【図２３】
2020107568.tif 000025